(57)【要約】      （修正有）【課題】ほぼ１アクションで簡単に開封することができ、開封後、大きくて収容物を取り出しやすい収容物取り出し口が形成される包装箱を提供する。【解決手段】第一の側面板１６と、その端部に延設されて蓋部の一部を構成する外蓋片４２と、第一の側面板の側方に第一及び第二の折罫線２４，２６を介して各々連続する第二及び第三の側面板１４，１８と、開封用ジッパ６４とを備える。開封用ジッパ６４は、第一の折罫線２４の端部を起点とし、第一の折罫線と重なる第一の破断線６６と、第二の折罫線２６の端部を起点とし、第二の折罫線と重なる第二の破断線６８とを備える。第一及び第二の破断線６６，６８の終点同士を連結する第三の破断線７０と、３つの破断線６６，６８，７０により囲まれたジッパ部７２を備える。開封操作によってジッパ部及び蓋部があった部分が開放し、収容物取り出し口となる。【選択図】図２
0003217785.tif 000002
【実用新案登録請求の範囲】
【請求項１】
四つの側面を有した筒体と、前記筒体の一端部を閉鎖するシールエンド型の蓋部とを備えた包装箱において、
前記筒体の一側面を構成する第一の側面板と、前記第一の側面板の端部に延設され、前記蓋部の一部を構成する蓋片と、前記第一の側面板の側方に第一の折罫線を介して連続し、前記筒体の一側面を構成する第二の側面板と、前記第一の側面板の反対側の側方に第二の折罫線を介して連続し、前記筒体の一側面を構成する第三の側面板と、収容物取り出し口を形成するための開封用ジッパとを備え、
前記開封用ジッパは、前記第一の折罫線の前記蓋片側の端部を起点とし、前記第一の折罫線と重なるように設けられた第一の破断線と、前記第二の折罫線の前記蓋片側の端部を起点とし、前記第二の折罫線と重なるように設けられた第二の破断線と、前記第一及び第二の破断線の終点同士を連結する第三の破断線と、前記第一、第二及び第三の破断線により囲まれたジッパ部とで構成され、
前記第一、第二及び第三の破断線が破断されると、前記ジッパ部及び前記蓋部が前記第一、第二及び第三の側面板から分離し、前記ジッパ部及び前記蓋部があった部分が開放して前記収容物取り出し口となることを特徴とする包装箱。
【請求項２】
前記第三の破断線は、前記第一の破断線の終点を起点とし、前記第一の側面板を横切って第二の折罫線に達する主破断部と、前記主破断部の終点を起点とし、前記第三の側面板の内側を通って前記第二の破断線の終点に達する副破断部とで構成されている請求項１記載の包装箱。
【請求項３】
前記開封用ジッパは、前記第一の側面板の半分以上の範囲が前記収容物取り出し口になるように設けられている請求項１又は２記載の包装箱。
【考案の詳細な説明】
【技術分野】
【０００１】
本考案は、四つの側面を有した筒体と、筒体の一端部を閉鎖するシールエンド型の蓋部とを備えた包装箱に関し、特に開封用ジッパ付きの包装箱に関する。
【背景技術】
【０００２】
ブリスターパックに封入された医薬品や医療用のシリンジ等を包装する包装箱には、医薬品等と一緒に、使用上の注意事項等が記載された書類が収容される。そして、病院等の施設で、薬剤師等が多数の包装箱から医薬品及び書類を取り出す作業を行う。したがって、この種の医薬品等の包装箱は、開封操作が容易であることや、開封後、大きくて収容物を取り出しやすい収容物取り出し口が形成されることが求められる。また、医薬品以外の用途においても、同様の包装箱が好まれるケースがある。
【０００３】
従来、例えば特許文献１の図３、図４に開示されているように、四角形の筒体とシールエンド型の蓋部とを備え、筒体を構成する前板に、前板を上下に分離させるための開封用ジッパが設けられ、前板に隣接する２つの側板に、各側板を上下に分離させるための切り罫が一対に設けられた易開封性容器があった。開封用ジッパと一対の切り罫は互いに連続し、開封用ジッパを引き裂き、さらに一対の切り罫を破断させることによって、筒体の上端部及び蓋部が前板及び２つの側板から分離し、筒体の上端部及び蓋部があった部分が開放して収容物取り出し口となる。
【先行技術文献】
【特許文献】
【０００４】
【特許文献１】特開２００４−４３０３４号公報
【考案の概要】
【考案が解決しようとする課題】
【０００５】
しかし、特許文献１の易開封性容器は、開封する時、開封用ジッパを引き裂く動作と一対の切り罫を破断させる動作とが必要になるが、この２つの動作は連続しないので、開封作業に少し手間が掛かる。
【０００６】
本考案は、上記背景技術に鑑みて成されたものであり、ほぼ１アクションで簡単に開封することができ、開封後、大きくて収容物を取り出しやすい収容物取り出し口が形成される包装箱を提供することを目的とする。
【課題を解決するための手段】
【０００７】
本考案は、四つの側面を有した筒体と、前記筒体の一端部を閉鎖するシールエンド型の蓋部とを備えた包装箱であって、
前記筒体の一側面を構成する第一の側面板と、前記第一の側面板の端部に延設され、前記蓋部の一部を構成する蓋片と、前記第一の側面板の側方に第一の折罫線を介して連続し、前記筒体の一側面を構成する第二の側面板と、前記第一の側面板の反対側の側方に第二の折罫線を介して連続し、前記筒体の一側面を構成する第三の側面板と、収容物取り出し口を形成するための開封用ジッパとを備え、
前記開封用ジッパは、前記第一の折罫線の前記蓋片側の端部を起点とし、前記第一の折罫線と重なるように設けられた第一の破断線と、前記第二の折罫線の前記蓋片側の端部を起点とし、前記第二の折罫線と重なるように設けられた第二の破断線と、前記第一及び第二の破断線の終点同士を連結する第三の破断線と、前記第一、第二及び第三の破断線により囲まれたジッパ部とで構成され、
前記第一、第二及び第三の破断線が破断されると、前記ジッパ部及び前記蓋部が前記第一、第二及び第三の側面板から分離し、前記ジッパ部及び前記蓋部があった部分が開放して前記収容物取り出し口となる包装箱である。
【０００８】
前記第三の破断線は、前記第一の破断線の終点を起点とし、前記第一の側面板を横切って第二の折罫線に達する主破断部と、前記主破断部の終点を起点とし、前記第三の側面板の内側を通って前記第二の破断線の終点に達する副破断部とで構成されていることが好ましい。また、前記開封用ジッパは、前記第一の側面板の半分以上の範囲が前記収容物取り出し口になるように設けられていることが好ましい。
【考案の効果】
【０００９】
本考案の包装箱は、シンプルな構造で組み立て易く、ジッパ部を摘まんで引き上げるという操作により、ほぼ１アクションで簡単に開封することができる。しかも、開封後、ジッパ部及び蓋部が第一、第二及び第三の側面板から分離し、ジッパ部及び蓋部があった部分が大きく開放して、収容物が取り出しやすい収容物取り出し口が形成される。
【図面の簡単な説明】
【００１０】
【図１】本考案の包装箱の一実施形態の組み立て状態を示す斜視図（ａ）、第二の側面板の側から見た図（ｂ）である。
【図２】この実施形態の包装箱を形成する箱体形成片を表面側から見た展開図である。
【図３】この実施形態の包装箱の開封状態を示す斜視図（ａ）、第二の側面板の側から見た図（ｂ）である。
【考案を実施するための形態】
【００１１】
以下、本考案の包装箱の一実施形態について、図面に基づいて説明する。この実施形態の包装箱１０は、図１（ａ）、（ｂ）に示すように略直方体の箱体であり、中に医薬品Ｓ１が収容され、箱体と医薬品Ｓ１との隙間に、Ｕ字形に屈曲させた書類Ｓ２が差し込まれている。
【００１２】
包装箱１０は、厚紙等で形成された一枚の箱体形成片１２を組み立てることによって形成される。箱体形成片１２は、図２に示すように、互いに平行に連接された４つの側面板１４，１６，１８，２０を有している。側面板１４，１６，１８，２０は、連接方向と直交する幅方向の長さが同じであり、連接方向の長さは、側面板１４，１８が短くて互いにほぼ等しく、側面板１６，２０が長くて互いにほぼ等しい。側面板２０側の端部には、組み立て状態で側面板１４の端部の裏面に糊付けされる糊付け片２２が設けられている。４つの側面板１４，１６，１８，２０と糊付け片２２は、折罫線２４，２６，２８，３０で各々区切られている。以下、側面板１４を第二の側面板１４と称し、側面板１６を第一の側面板１６と称し、側面板１８を第三の側面板１８と称する。また、折罫線２４を第一の折罫線２４と称し、折罫線２６を第二の折罫線２６と称する。
【００１３】
第二の側面板１４の、連接方向に対して直角方向の一端部には、台形状のサイドフラップ３２が延設され、反対側の端部には同様のサイドフラップ３４が延設され、各々折罫線３６，３８で第二の側面板１４と区切られている。
【００１４】
第一の側面板１６の、サイドフラップ３２側の端部には、略矩形の外底片４０が延設され、反対側の端部には同様の外蓋片４２が延設され、各々折罫線４４，４６で第一の側面板１６と区切られている。外底片４０及び外蓋片４２の延出長さは、第二及び第三の側面板１４，１８の連接方向長さとほぼ同じである。
【００１５】
第三の側面板１８の、外底片４０側の端部には、台形状のサイドフラップ４８が延設され、反対側の端部には同様のサイドフラップ５０が延設され、各々折罫線５２，５４で第三の側面板１８と区切られている。
【００１６】
側面板２０の、サイドフラップサイドフラップ４８側の端部には、略矩形の内底片５６が延設され、反対側の端部には同様の内蓋片５８が延設され、各々折罫線６０，６２で側面板２０と区切られている。内底片５６及び内蓋片５８の延出長さは、第二及び第三の側面板１４，１８の連接方向長さより少し短い。
【００１７】
さらに、第一及び第三の側面板１６，１８には、開封用ジッパ６４が設けられている。開封用ジッパ６４は、第一の折罫線２４の外蓋片４２側の端部を起点とし、第一の折罫線２４と重なるように設けられた第一の破断線６６と、第二の折罫線２６の外蓋片４２側の端部を起点とし、第二の折罫線２６と重なるように設けられた第二の破断線６８とを備え、第一及び第二の破断線６６，６８は、各々第一の側面板１６のほぼ中央部に達しており、その終点同士が第三の破断線７０で連結されている。
【００１８】
第三の破断線７０は、第一の破断線６６の終点を起点とし、第一の側面板１６を斜め（第一の破断線６６に対して鈍角）に横切って第二の折罫線２６に達する主破断部７０ａと、主破断部７０ａの終点を起点とし、第三の側面板１８の内側を通って第二の破断線６８の終点に達する円弧状の副破断部７０ｂとで構成されている。そして、第一、第二及び第三の破断線６６，６８，７０に囲まれた内側がジッパ部７２となっている。このように、開封用ジッパ６４は、３つの破断線６６，６８，７０及びジッパ部７２により構成されている。
【００１９】
次に、包装箱１０の組み立て方法の一例を説明する。図２は箱体形成片１２を表面側から見たものであり、以下、箱体形成片１２の表面側が凸になる折り方を正折り、裏面側が凸になる折り方を逆折りと称する。
【００２０】
まず、折罫線２８を正折りして側面板２０及び糊付け片２２を第一及び第三の側面板１６，１８に重ねる。そして、糊付け片２２の表面に糊を塗布した後、第一の折罫線２４を正折りし、第二の側面板１４の端部の裏面を糊付け片２２に糊付けする。箱体形成片１２は、この折り畳み状態で、包装箱１０の製造工場から出荷される。
【００２１】
次に、医薬品Ｓ１及び書類Ｓ２を包装する工場等において、４つの折罫線２４，２６，２８，３０を各々９０度に正折りし、２つの側面板１４，１６，１８，２０及び糊付け片２２で成る四角形の筒体Ａを形成する。筒体Ａの状態では、第一の側面板１６が側面板２０に対向し、第二及び第三の側面板１４，１８が第一の側面板１６の側端に各々連続する。
【００２２】
その後、筒体Ａの一端部を塞ぐ底部Ｂを設けるため、折罫線３６，５２でサイドフラップ３２，４８を各々９０度に正折りし、折罫線６０で内底片５６を９０度に正折りする。そして、内底片５６の表面に糊を塗布し、折罫線４４で外底片４０を９０度に正折りし、外底片４０の裏面を内底片５６に糊付する。これで、筒体Ａの一端部を閉鎖するシールエンド型の底部Ｂができたので、開放している他端部から医薬品Ｓ１を入れ、筒体Ａと医薬品Ｓ１との隙間に、書類Ｓ２をＵ字形に屈曲させて差し込む。
【００２３】
医薬品Ｓ１及び書類Ｓ２を入れると、筒体Ａの他端部を塞ぐ蓋部Ｃを設けるため、折罫線３８，５４でサイドフラップ３４，５０を各々９０度に正折りする。そして、折罫線６２を正折りして内蓋片５８を９０度に正折りする。そして、内蓋片５８の表面に糊を塗布し、折罫線４６で外蓋片４２を９０度に正折りし、外蓋片４２の裏面を内蓋片５８に糊付する。これで、シールエンド型の蓋部Ｃが形成され、図１に示す組み立て状態になり、医薬品Ｓ１及び書類Ｓ２が包装箱１０とともに出荷される。
【００２４】
包装箱１０を開封する時は、第三の側面板１８の端部の、円弧状の副破断部７０ｂに囲まれた部分を指で押し込み、副破断部７０ｂを破断させてジッパ部７２の端部を摘まみ、ジッパ部７２を引き上げて主破断部７０ａ、第一の破断線６６及び第二の破断線６８を破断させる。すると、図３（ａ）、（ｂ）に示すように、ジッパ部７２及び蓋部Ｃが第一、第二及び第三の側面板１６，１４，１８から分離し、さらにジッパ部７２及び蓋部Ｃを引き上げると、収容物取り出し口Ｄが形成される。この開封操作は、一連の動作として、ほぼ１アクションで行うことができる。なお、ジッパ部７２は、第一、第二及び第三の側面板１６，１４，１８から分離するが、外蓋片４２が内蓋片５８に糊付けされているので、本体から離れて単独のゴミにはならない。
【００２５】
包装箱１０を開封すると、第一の側面板１６の半分以上の範囲と蓋部Ｃがあった部分が開放され、大きい収容物取り出し口Ｄが形成されるので、Ｕ字形に屈曲している書類Ｓ２をスムーズに取り出すことができ、医薬品Ｓ１も簡単に取り出すことができる。
【００２６】
以上説明したように、包装箱１０は、シンプルな構造で組み立て易く、ジッパ部７２の端部を摘まんで引き上げるという操作により、ほぼ１アクションで簡単に開封することができる。しかも、開封後、ジッパ部７２及び蓋部Ｃが第一、第二及び第三の側面板１６，１４，１８から分離し、ジッパ部７２及び蓋部Ｃがあった部分が大きく開放して、医薬品Ｓ１及び書類Ｓ２が取り出しやすい収容物取り出し口Ｄが形成される。
【００２７】
また、開封用ジッパ６４は、第三の破断線７０の副破断部７０ｂが第三の側面板１８の内側に円弧状に設けているので、副破断線７０ｂを破断させることによってジッパ部７２の端部を容易に摘まむことができ、主破断部７０ａが第一の側面板１６を斜めに横切っているので、ジッパ部７２を引き上げた時、主破断線７０ａと第一及び第二の破断線６６，６８を非常に円滑に破断させることができる。
【００２８】
なお、本考案の包装箱は、上記実施形態に限定されるものではない。開封操作が行われて開放する蓋部は、開封用ジッパのジッパ部に連続する蓋片を含むものであればよく、外蓋片４２及び内蓋片５８で成る蓋部Ｃ以外の構成に変更することができる。例えば、サイドフラップ３２，４８を内蓋片５６の裏面に糊付けし、サイドフラップ３２，４８を含めて蓋部Ｃとすることも可能であり、この場合、サイドフラップ３２，４８の折罫線３８，５４の位置に破断線を設けておくことにより、上記の開封操作が行われた時、この破断線が自然に破断し、蓋部Ｃを問題なく開放させることができる。
【００２９】
第三の破断線は、第一及び第二の破断線の終点同士を連結するものであればよく、上記第三の破断線７０のレイアウトに限定されない。第三の破断線７０は、第一の側面板１６を横切る主破断部７０ａと、第三の側面板１８の内側を通る副破断部７０ｂとで構成され、副破断部７０ｂを設けることによってジッパ部７２の端部を摘まみやすくしているが、と特に支障がなければ、副破断部７０ｂを省略し、主破断部７０ａだけで第一及び第二の破断線の終点同士を連結し、ジッパ部７２を第一の側面板１６の内側だけに設ける構成にしてもよい。
【００３０】
箱体形成片は、互いに連接された４つの側面板のうち、片端に位置するものを第一の側面板とし、反対側の端に位置するものを第二の側面板とし、第一の側面板の端部に糊付け片を設けた構成にしてもよい。この場合、第一の側面板と糊付け片とを区切る折罫線が第一の折罫線となり、筒体の状態で、第一の側面板が第二の折罫線を介して第二の側面板に連続する。
【００３１】
その他、箱体の大きさ、素材、底部の形状等は、用途に応じて適宜変更することができる。
【符号の説明】
【００３２】
１０  包装箱
１２  箱体形成片
１４  第二の側面板
１６  第一の側面板
１８  第三の側面板
２０  側面板
２４  第一の折罫線
２６  第二の折罫線
４２  外蓋片（蓋片)
６４  開封用ジッパ
６６  第一の破断線
６８  第二の破断線
７０  第三の破断線
７０ａ  主破断部
７０ｂ  副破断部
７２  ジッパ部
Ａ  筒体
Ｂ  底部
Ｃ  蓋部
Ｄ  収容物取り出し口
【図１】
0003217785.tif 000003
【図２】
0003217785.tif 000004
【図３】
0003217785.tif 000005